(57)【要約】【課題】安価な構成で、ばね部材や軸受のボス部に対する抜け止めを行えるようにする。【解決手段】キャスティングコントロール機構２０は、スプール軸１６の端部に接触するように配置された複数の摩擦プレート４０ｂと、第２側カバー７のボス部７ａに着脱可能に装着され摩擦プレート４０ｂをスプール軸１６の端部に圧接することにより摩擦力を調整するキャップ部材４１と、キャップ部材４１と軸受３０ｂとの間に付勢力をもってボス部７ａに装着固定され軸受３０ｂのボス部７ａに対する抜け止め及びキャップ部材４１の回転規制を行うためのばね部材４２とを有している。ばね部材４２は、キャップ部材４１の底部４１ａに接触する小径部４２ａと、小径部４２ａより大径になるように形成され軸受３０ｂの端部に接触するようにボス部７ａに固定された大径部４２ｂとを有している。【選択図】図３
2007104958.tif 000002
【特許請求の範囲】
【請求項１】
釣竿に装着され、釣り糸の巻き取り及び繰り出しを行う両軸受リールであって、
前記釣竿に装着されるリール本体と、
前記リール本体の一側側部に設けられ、外周部に形成された雄ねじ部と、内周部に形成された貫通孔とを有するボス部と、
前記リール本体に回転自在に装着され、外周に前記釣り糸を巻き取り可能なスプールと、
前記スプールに回転不能に装着され、一端部が前記ボス部に回転自在に支持され、他端部が他側の前記リール本体に回転自在に支持されるスプール軸と、
前記雄ねじ部に螺合する雌ねじ部を内周部に有し、前記ボス部に着脱自在に装着されるキャップ部材と、
前記貫通孔の内周部に設けられ、前記スプール軸の一端部を支持する軸受部と、
前記キャップ部材の内周側底部と前記軸受部との間に付勢力をもって前記ボス部に装着固定され、前記軸受部の前記ボス部に対する抜け止め及び前記キャップ部材の回転規制を行うためのばね部材と、
を備えた両軸受リール。
【発明の詳細な説明】
【技術分野】
【０００１】
本発明は、両軸受リール、特に、釣り糸の巻き取り及び繰り出しを行う両軸受リールに関する。
【背景技術】
【０００２】
両軸受リールは、一般に、リール本体と、リール本体に回転自在に装着されたスプールとを備えている。このような両軸受リールには、スプール回転時の抵抗力を調節するためのキャスティングコントロール機構が設けられている。キャスティングコントロール機構は、スプールの回転軸の両端に接触するように配置された摩擦プレートと、リール本体の一側に突出したボス部に着脱可能に装着され内周側底部に配置された摩擦プレートをスプール軸の端部に圧接することにより摩擦力を調整するキャップ部材とを有している。また、スプール軸は、両端部が軸受により回転自在に支持されており、一方の軸受は、ボス部の内周側に配置されている。この軸受の軸方向外側端部とキャップ部材の内周側底部に装着された摩擦プレートとの間には、キャップ部材の回転を規制するためのばね部材が圧縮されて装着されている（たとえば、特許文献１参照）。
【特許文献１】特開２００１−２３８５８１号公報
【発明の開示】
【発明が解決しようとする課題】
【０００３】
前記従来の構成では、軸受の軸方向外側端部とキャップ部材の内周側底部に装着された摩擦プレートとの間には、キャップ部材の回転を規制するためのばね部材が圧縮されて装着されているので、キャップ部材の回転を規制することができる。しかし、ばね部材は、キャップ部材やボス部に固定されておらず、また、軸受は、軸方向外側端部がばね部材によって押圧されているだけであるので、キャップ部材をボス部から取り外すと、ばね部材や軸受が外方に抜け落ちるおそれが生じる。そこで、軸受の軸方向外側端部にＥ型止め輪等の抜け止め部材を設けることが考えられるが、この場合、全体の部品点数が増加し、製造コストが増加するおそれがある。
【０００４】
本発明の課題は、両軸受リールにおいて、安価な構成で、ばね部材や軸受のボス部に対する抜け止めを行えるようにすることにある。
【課題を解決するための手段】
【０００５】
発明１に係る両軸受リールは、釣竿に装着され釣り糸の巻き取り及び繰り出しを行う両軸受リールであって、釣竿に装着されるリール本体と、リール本体の一側側部に設けられ外周部に形成された雄ねじ部と内周部に形成された貫通孔とを有するボス部と、リール本に回転自在に装着され外周に釣り糸を巻き取り可能なスプールと、スプールに回転不能に装着され一端部がボス部に回転自在に支持され他端部が他側のリール本体に回転自在に支持されるスプール軸と、雄ねじ部に螺合する雌ねじ部を内周部に有しボス部に着脱自在に装着されるキャップ部材と、貫通孔の内周部に設けられスプール軸の一端部を支持する軸受部と、キャップ部材の内周側底部と軸受部との間に付勢力をもってボス部に装着固定され軸受部のボス部に対する抜け止め及びキャップ部材の回転規制を行うためのばね部材とを備えている。
【０００６】
この両軸受リールでは、キャップ部材の内周側底部と軸受部との間に付勢力をもってボス部に装着固定され軸受部のボス部に対する抜け止め及びキャップ部材の回転規制を行うためのばね部材が設けられているので、１つのばね部材によって、軸受部のボス部に対する抜け止め及びキャップ部材の回転規制を兼用できる。ばね部材自身の抜け止め及び軸受部のボス部に対する抜け止めを同時に行えるので、安価な構成でばね部材や軸受部のボス部に対する抜け止めを行える。
【発明の効果】
【０００７】
本発明によれば、両軸受リールにおいて、キャップ部材の内周側底部と軸受部との間に付勢力をもってボス部に装着固定され軸受部のボス部に対する抜け止め及びキャップ部材の回転規制を行うためのばね部材を設けることにより、安価な構成でばね部材や軸受部のボス部に対する抜け止めを行える。
【発明を実施するための最良の形態】
【０００８】
本発明の一実施形態を採用した両軸受リールは、図１に示すように、ロープロフィール型の両軸受リールであって、リール本体１と、リール本体１の側方に配置されたスプール回転用のハンドル２と、ハンドル２のリール本体１側に配置されたドラグ調整用のスタードラグ３とを備えている。
【０００９】
リール本体１は、図１及び図２に示すように、フレーム５と、フレーム５の両側方に装着された第１側カバー６及び第２側カバー７とを有している。フレーム５は、所定の間隔をあけて互いに対向するように配置された一対の第１側板８及び第２側板９とを有している。
【００１０】
フレーム５内には、図２に示すように、外周に釣り糸を巻き取るスプール４が配置されており、スプール４の内周部には、スプール軸１６が貫通し、相対回転不能に固定されている。スプール軸１６は、図２に示すように、一端部１６ａが第１側板８に配置された軸受３０ａによって回転自在に支持され、他端部１６ｂが第２側板９を貫通して第２側カバー７に配置された軸受３０ｂによって回転自在に支持されている。
【００１１】
第２側カバー７の側部には、図２に示すように、外方に突出した筒状のボス部７ａが一体成形されており、ボス部７ａは、外周部に形成された雄ねじ部７ｂと、内周部に形成された貫通孔７ｃと、貫通孔７ｃの内周部に形成され軸受３０ｂが装着される装着凹部７ｄと、貫通孔７ｃの内周部の軸方向外方に装着凹部７ｄより深溝になるように形成された装着溝部７ｅとを有している。また、ボス部７ａには、スプール４回転時の抵抗力を調節するためのキャスティングコントロール機構２０の後述するキャップ部材４１が着脱可能に装着されている。
【００１２】
キャスティングコントロール機構２０は、図２に示すように、スプール４回転時の抵抗力を調節するための機構であり、スプール軸１６の両端部に接触するように配置された複数の摩擦プレート４０ａ、４０ｂ、４０ｃと、第２側カバー７のボス部７ａに着脱可能に装着され摩擦プレート４０ａ、４０ｂ、４０ｃをスプール軸１６の両端部に圧接することにより摩擦力を調整するキャップ部材４１と、キャップ部材４１と軸受３０ｂとの間に付勢力をもってボス部７ａに装着固定され軸受３０ａのボス部７ａに対する抜け止め及びキャップ部材４１の回転規制を行うためのばね部材４２とを有している。
【００１３】
摩擦プレート４０ａ、４０ｂ、４０ｃは、金属製の板状部材であって、図２に示すように、摩擦プレート４０ａはスプール軸１６の一端部１６ａに接触するように配置され、摩擦プレート４０ｂはスプール軸１６の他端部１６ｂに接触するように配置されている。摩擦プレート４０ｂ、４０ｃは、キャップ部材４１の内周側の後述する底部４１ａに固定されている。
【００１４】
キャップ部材４１は、有底筒状のつまみ部材であって、図２から図４に示すように、内周側に形成された段付き凹部からなる底部４１ａと、内周側側部に形成されボス部７ａの雄ねじ部７ｂに螺合する雌ねじ部４１ｂとを有している。ここでは、雄ねじ部７ｂに雌ねじ部４１ｂを螺合させることにより、キャップ部材４１を着脱できるとともに、スプール軸１６の両端部との摩擦力を調整できる。
【００１５】
ばね部材４２は、図３及び図４に示すように、キャップ部材４１の底部４１ａに接触する小径部４２ａと、小径部４２ａより大径になるように形成された大径部４２ｂとを有している。ばね部材４２は、小径部４２ａから大径部４２ｂに向けて徐々に拡径するコイルばねであって、キャップ部材４１を装着したときに圧縮されて軸方向に付勢力を生じさせるようになっている。小径部４２ａは、キャップ部材４１の底部４１ａに装着された摩擦プレート４０ｂに接触するように配置されている。大径部４２ｂは、装着凹部７ｄに装着された軸受３０ｂの端部に接触するようにボス部７ａの装着溝部７ｅに装着固定されており、このため、軸受３０ｂ及びばね部材４２がボス部７ａに対して抜け止めされる。
【００１６】
この両軸受リールでは、キャップ部材４１の底部４１ａに装着された摩擦プレート４０ｂと軸受３０ｂとの間に付勢力をもってボス部７ａの装着溝部７ｅに装着固定され、軸受３０ｂのボス部７ａに対する抜け止め及びキャップ部材４１の回転規制を行うためのばね部材４２が設けられている。ここでは、１つのばね部材４２によって、軸受３０ｂのボス部７ａに対する抜け止め及びキャップ部材４１の回転規制を兼用できるとともに、ばね部材４２自身の抜け止め及び軸受３０ｂのボス部７ａに対する抜け止めを同時に行えるので、安価な構成でばね部材４２や軸受３０ｂのボス部７ａに対する抜け止めを行える。
【００１７】
〔他の実施形態〕
（ａ）  前記実施形態では、釣り用リールのスプールとして、ロープロフィール型の両軸受リールを例にあげて説明したが、これに限定されるものではなく、たとえば丸型の両軸受リールにも本発明を適用できる。
【００１８】
（ｂ）  前記実施形態では、ばね部材４２は、小径部４２ａから大径部４２ｂに向けて徐々に拡径するコイルばねであったが、図５に示すように、小径部４２ａから大径部４２ｂ近傍に向けて略同径になるように形成され、大径部４２ｂ近傍から大径部４２ｂに向けて拡径するコイルばねであってもよい。
【図面の簡単な説明】
【００１９】
【図１】本発明の一実施形態による両軸受リールの平面図。
【図２】前記両軸受リールの平面断面図。
【図３】前記両軸受リールのキャスティングコントロール機構の拡大断面図。
【図４】前記キャスティングコントロール機構の拡大斜視図。
【図５】他の実施形態の図３に相当する図。
【符号の説明】
【００２０】
１  リール本体
２  ハンドル
４  スプール
７  第２側カバー
７ａ  ボス部
７ｂ  雄ねじ部
７ｃ  貫通孔
７ｄ  装着凹部
７ｅ  装着溝部
１６  スプール軸
１６ａ  一端部
１６ｂ  他端部
２０  キャスティングコントロール機構
３０ａ、３０ｂ  軸受
４０ａ、４０ｂ、４０ｃ  摩擦プレート
４１  キャップ部材
４１ａ  底部
４１ｂ  雌ねじ部
４２  ばね部材
４２ａ  小径部
４２ｂ  大径部
【図１】
2007104958.tif 000003
【図２】
2007104958.tif 000004
【図３】
2007104958.tif 000005
【図４】
2007104958.tif 000006
【図５】
2007104958.tif 000007